(57)【要約】【課題】光源部からの光を効率よく導光体へ入射させることを目的とする。【解決手段】照明装置は、光源部４０Ａと、曲部３２を有する棒状の導光体３０Ａと、を備え、導光体３０Ａは、曲部３２の端に入射面３５を有し、入射面３５は、光源部４０Ａに当接していることを特徴とする。【選択図】図４
2018117213.tif 000002
【特許請求の範囲】
【請求項１】
光源部と、
曲部を有する棒状の導光体と、を備え、
前記導光体は、前記曲部の端に入射面を有し、
前記入射面は、前記光源部に当接していることを特徴とする照明装置。
【請求項２】
前記光源部は、発光素子と、少なくとも一部が前記発光素子よりも前記導光体の前記入射面側に位置し、前記発光素子を保護する保護部材と、を有し、
前記入射面は、前記保護部材に当接していることを特徴とする請求項１に記載の照明装置。
【請求項３】
前記光源部は、発光素子と、前記発光素子の周りに配置されているケースと、を有し、
前記入射面は、前記ケースに当接していることを特徴とする請求項１に記載の照明装置。
【請求項４】
前記光源部は、発光素子と、少なくとも一部が前記発光素子よりも前記導光体の前記入射面側に位置するレンズと、を有し、
前記入射面は、前記レンズに当接していることを特徴とする請求項１に記載の照明装置。
【請求項５】
前記入射面と前記光源部とが当接するように前記導光体および前記光源部の少なくとも何れか一方を付勢している付勢部材を有していることを特徴とする請求項１ないし４の何れか１項に記載の照明装置。
【請求項６】
前記付勢部材は、前記曲部と前記光源部とが当接するように前記導光体を付勢していることを特徴とする請求項５に記載の照明装置。
【請求項７】
前記光源部および前記導光体を収容するフレームを備え、
前記付勢部材は、前記フレームに取り付けられ、前記曲部を直接、前記光源部に向かって付勢していることを特徴とする請求項６に記載の照明装置。
【請求項８】
前記付勢部材は、前記光源部と前記曲部とが当接するように前記光源部を付勢していることを特徴とする請求項５に記載の照明装置。
【請求項９】
光源部を実装する基板と、
前記光源部、前記導光体および前記基板を収容するフレームと、を備え、
前記付勢部材は、前記フレームに取り付けられ、前記基板を介して間接的に前記光源部を前記曲部に向かって付勢していることを特徴とする請求項８に記載の照明装置。
【請求項１０】
前記付勢部材が前記曲部または前記光源部と接する領域は、前記入射面を直交する方向から見て、前記入射面と重なり合っていることを特徴とする請求項５ないし９の何れか１項に記載の照明装置。
【請求項１１】
前記光源部および前記導光体を収容するフレームを備え、
前記フレームは、前記付勢部材を有していることを特徴とする請求項５に記載の照明装置。
【請求項１２】
前記光源部および前記導光体を収容するフレームと、
前記フレームのうち被照明体側の開口を塞ぐカバー部材と、を備え、
前記カバー部材は、前記付勢部材を有していることを特徴とする請求項５に記載の照明装置。
【請求項１３】
被照明体を照明する請求項１ないし１２の何れか１項に記載の照明装置と、
前記被照明体において反射された光を結像する集光体と、
前記集光体によって結像された光を電気信号に変換するセンサと、を備えることを特徴とするセンサユニット。
【請求項１４】
請求項１３に記載のセンサユニットを有し、
前記センサユニットは、前記被照明体に対して相対的に移動することを特徴とする読取装置。
【請求項１５】
請求項１３に記載のセンサユニットを有し、
前記センサユニットは、前記被照明体に対して相対的に移動し、
前記被照明体は、紙葉類であることを特徴とする紙葉類読取装置。
【請求項１６】
請求項１３に記載のセンサユニットと、
前記センサユニットと前記被照明体との少なくとも何れか一方を相対的に移動させる移動手段と、
前記センサユニットにより読取られた画像を記録媒体に形成する画像形成手段と、を備えることを特徴とする画像形成装置。
【発明の詳細な説明】
【技術分野】
【０００１】
本発明は、照明装置、センサユニット、読取装置、紙葉類読取装置および画像形成装置に関する。
【背景技術】
【０００２】
導光体の長手方向に亘って線状に光を出射する照明装置が知られている。特許文献１に開示された照明装置は導光体を有し、導光体は光入射面を備えた曲部と、光出射面および拡散面を備えた直線部とを有する。照明装置は、光源の光を導光体の光入射面から入射させて拡散面で拡散させることで光出射面から出射させる。
【先行技術文献】
【特許文献】
【０００３】
【特許文献１】特開２０１５−３５８０９号公報
【発明の概要】
【発明が解決しようとする課題】
【０００４】
特許文献１のような導光体は曲部から光が漏れてしまい、曲部を有しない導光体よりも出射される光量が少なくなってしまう場合がある。
本発明は、上述したような問題点に鑑みてなされたものであり、光源部からの光を効率よく導光体へ入射させることを目的とする。
【課題を解決するための手段】
【０００５】
本発明の照明装置は、光源部と、曲部を有する棒状の導光体と、を有し、前記導光体は、前記曲部の端に入射面を有し、前記入射面は、前記光源部に当接していることを特徴とする。
本発明のセンサユニットは、前記照明装置と、被照明体において反射された光を結像する集光体と、前記集光体によって結像された光を電気信号に変換するセンサと、を備えることを特徴とする。
本発明の読取装置は、前記センサユニットを有し、前記センサユニットは、前記被照明体に対して相対的に移動することを特徴とする。
本発明の紙葉類読取装置は、前記センサユニットを有し、前記センサユニットは、前記被照明体に対して相対的に移動し、前記被照明体は、紙葉類であることを特徴とする。
本発明の画像形成装置は、前記センサユニットと、前記センサユニットと前記被照明体との少なくとも何れか一方を相対的に移動させる移動手段と、前記センサユニットにより読取られた画像を記録媒体に形成する画像形成手段と、を備えることを特徴とする。
【発明の効果】
【０００６】
本発明によれば、光源部からの光を効率よく導光体へ入射させることができる。
【図面の簡単な説明】
【０００７】
【図１】図１は、イメージセンサユニット１０Ａの構成を示す分解斜視図である。
【図２】図２は、イメージセンサユニット１０Ａの構成を示す外観斜視図である。
【図３】図３は、イメージセンサユニット１０Ａの構成を示す断面図である。
【図４】図４は、イメージセンサユニット１０Ａの構成を示す断面図である。
【図５】図５は、イメージセンサユニット１０Ｂの構成を示す分解斜視図である。
【図６】図６は、イメージセンサユニット１０Ｂの構成を示す断面図である。
【図７】図７は、イメージセンサユニット１０Ｃの構成を示す分解斜視図である。
【図８】図８は、イメージセンサユニット１０Ｃの構成を示す断面図である。
【図９】図９は、イメージセンサユニット１０Ｄの構成を示す分解斜視図である。
【図１０】図１０は、イメージセンサユニット１０Ｄの構成を示す断面図である。
【図１１】図１１は、イメージセンサユニット１０Ｅの一部の構成を示す図である。
【図１２】図１２は、イメージセンサユニット１０Ｆの一部の構成を示す図である。
【図１３】図１３は、イメージセンサユニット１０Ｇの一部の構成を示す図である。
【図１４】図１４は、イメージセンサユニット１０Ｈの一部の構成を示す図である。
【図１５】図１５は、イメージセンサユニット１０Ｉの構成を示す分解斜視図である。
【図１６】図１６は、イメージセンサユニット１０Ｉの構成を示す断面図である。
【図１７】図１７は、フラットベッド方式のスキャナの構成を示す斜視図である。
【図１８】図１８は、シートフィード方式のスキャナの構成を示す断面図である。
【図１９】図１９は、画像形成装置の外観を示す斜視図である。
【図２０】図２０は、画像形成装置内の画像形成部を示す斜視図である。
【発明を実施するための形態】
【０００８】
以下、図面に基づき、本発明に係る照明装置、イメージセンサユニット（センサユニット）および画像読取装置（読取装置）の好適な実施形態について説明する。以下の説明においては、三次元の各方向を、Ｘ，Ｙ，Ｚの各矢印で示す。Ｘ方向は後述する導光体の長手方向であり、例えば主走査方向である。Ｙ方向は主走査方向に直角な副走査方向である。Ｚ方向が垂直方向（上下方向）である。なお、主走査方向については、光源が配置される側を基端側といい、その反対側を先端側という。
【０００９】
（第１の実施形態）
本実施形態に係るイメージセンサユニット１０Ａは、副走査方向に相対的に移動する被照明体Ｐ（読取対象物）に向けて光を出射し、被照明体Ｐからの光によって、被照明体Ｐの画像を読取る。被照明体Ｐには、原稿、紙幣、各種有価証券などの紙葉類などが含まれる。
まず、本実施形態に係るイメージセンサユニット１０Ａの全体構成について、図１〜図４を参照して説明する。図１はイメージセンサユニット１０Ａの構成例を示す分解斜視図である。図２はイメージセンサユニット１０Ａの構成例を示す外観斜視図である。図３はイメージセンサユニット１０Ａの構成例を示す主走査方向から見た図であり、フレーム１１Ａを主走査方向に直交する面で切断した断面図である。図４はイメージセンサユニット１０Ａの構成例を示す副走査方向から見た図であり、副走査方向に直交する面で切断した断面図である。なお、図４では後述する導光体３０Ａの断面を示すハッチングを省略している。
【００１０】
イメージセンサユニット１０Ａは、フレーム１１Ａと、導光体３０Ａ、光源部４０Ａ、基板５５、集光体５０、イメージセンサ（センサあるいはラインセンサ）６０、付勢部材７０Ａ、摺動部材８０などを有している。上述した構成部材のうち、導光体３０Ａおよび光源部４０Ａが被照明体Ｐに対して線状化した光を出射する照明装置として機能する。すなわち、イメージセンサユニット１０Ａには照明装置としての機能が含まれている。
【００１１】
フレーム１１Ａはイメージセンサユニット１０Ａの上述した各構成部材を収容する。フレーム１１Ａは例えばポリカーボネートなどの樹脂材料が適用できる。
フレーム１１Ａは主走査方向を長手方向とする略直方体であり、側壁１２ａ〜１２ｄを有する。側壁１２ａおよび側壁１２ｂは、それぞれ上面に付勢部材７０Ａおよび摺動部材８０を取り付けるための孔１３を有する。図３に示すように、フレーム１１Ａには、導光体収容室１４と、集光体収容室１５と、基板収容室１６とが設けられている。導光体収容室１４は導光体３０Ａを収容する。集光体収容室１５は集光体５０を収容する。導光体収容室１４および集光体収容室１５は、何れも上側が開口した溝状や凹状の領域である。また、導光体収容室１４および集光体収容室１５は長手方向が主走査方向と平行である。基板収容室１６は基板５５を収容する。基板収容室１６は主走査方向に長く、下側が開口した溝状や凹状の領域である。基板収容室１６は導光体収容室１４と集光体収容室１５の下側に位置する。導光体収容室１４の主走査方向における基端側の端部（導光体３０Ａの後述する曲部３２を収容する部分）と基板収容室１６とは、上下方向に貫通する貫通孔１７を通じて繋がっている。
【００１２】
集光体収容室１５と基板収容室１６の間には、集光体５０を通過した光が通過可能なスリット状の光路１８が設けられている。また、側壁１２ｄの内側面には、導光体３０Ａを保持する複数の導光体保持部１９が突出している。なお、導光体保持部１９は、導光体３０Ａを位置決めした状態に保持できる構成であればよく、具体的な構成は限定されない。
【００１３】
導光体３０Ａは光源部４０Ａが発する光を線状化して被照明体Ｐに向けて出射する光学部材である。導光体３０Ａは例えばアクリル系の透明な樹脂材料が適用できる。導光体３０Ａは、主走査方向に長い直線棒状の棒部３１と、棒部３１の主走査方向の基端側の端部から延出して下側に向かって曲がっている曲部３２とを有し、全体では主走査方向に長い棒状である。
【００１４】
図４に示すように、棒部３１は中心線Ｃ１が主走査方向に延伸する直線の部分である。棒部３１の外周面には、出射面３３と拡散面３４とが設けられている。
図３に示すように、出射面３３は主走査方向に長い線状の光を被照明体Ｐの読取ラインＯに向けて出射する。出射面３３は主走査方向に長い面である。また、出射面３３は出射した光が被照明体Ｐの読取ラインＯに集まるような形状、例えば、主走査方向から見て被照明体Ｐの読取ラインＯに向かって膨出する曲面である。
拡散面３４は導光体３０Ａの内部を進行する光を拡散させる。拡散面３４は出射面３３と同様に主走査方向に長い面である。拡散面３４は拡散した光を出射面３３から出射できるように出射面３３と対向している。また、拡散面３４には光を拡散させる光拡散パターンが設けられている。
なお、棒部３１の外周面のうち、出射面３３と拡散面３４以外の面は、導光体３０Ａの内部を進行する光を反射させる反射面として機能する。
【００１５】
曲部３２は中心線Ｃ２が副走査方向から見て円弧状に湾曲している部分である。曲部３２は棒部３１との境界では棒部３１の中心線Ｃ１と平行（主走査方向に平行）であり、基端側の端部（棒部３１とは反対側の端部）では上下方向に略平行である。曲部３２は端部に光源部４０Ａから光を入射するための入射面３５が設けられている。入射面３５は平面状であって、光源部４０Ａと対面している。また、曲部３２は入射面３５の形状、および、中心線Ｃ２と直角な面で切断したときの断面形状が略円形である。また、図４に示すように、曲部３２の下端（入射面３５）は棒部３１の下端よりも下側に長さＬ分、低く位置しているために、曲部３２は棒部３１に対して上下方向に撓り易い形状である。
【００１６】
光源部４０Ａは導光体３０Ａの入射面３５に向けて光を発する。本実施形態の光源部４０Ａは、ＬＥＤチップがパッケージングされた表面実装型のＬＥＤパッケージである。光源部４０Ａは、ＬＥＤチップ４１、ケース４２、コート樹脂４４、リード端子、ワイヤなどを有する。
ＬＥＤチップ４１は発光素子であって、可視光として赤（Ｒ）、緑（Ｇ）あるいは青（Ｂ）の波長の光を発するものや、不可視光として赤外光（ＩＲ）あるいは紫外光（ＵＶ）の波長の光を発するものが適用できる。なお、光源部４０Ａは、一つのＬＥＤチップ４１を有していてもよく、異なる波長の光を発する複数のＬＥＤチップ４１を有していてもよい。ＬＥＤチップ４１が発する光の波長域は、イメージセンサユニット１０Ａの仕様や被照明体Ｐの種類などに応じて適宜、変更することができる。
ケース４２はＬＥＤチップ４１を収容して配置する。ケース４２は例えば樹脂材料が適用できる。ケース４２には凹部４３が形成され、凹部４３内にＬＥＤチップ４１が配置される。したがって、ケース４２はＬＥＤチップ４１の周りに配置される。また、ケース４２の凹部４３の内周面はリフレクタとして機能する。
コート樹脂４４は保護部材であって、ＬＥＤチップ４１を覆うことでＬＥＤチップ４１を保護する。コート樹脂４４は例えば透明なエポキシ樹脂が適用でき、蛍光体材料を含めることができる。なお、本実施形態の光源部４０Ａは凹部４３内に充填されているコート樹脂４４がケース４２の上面よりも凹んでいる。換言すると、ケース４２の上面がコート樹脂４４の上面よりも高く位置している。また、コート樹脂４４は少なくとも一部がＬＥＤチップ４１の上側、すなわち導光体３０Ａの入射面３５側に位置している。コート樹脂４４はＬＥＤチップ４１が外気と触れることから保護する。また、コート樹脂４４はＬＥＤチップ４１が導光体３０Ａや塵などの他のものが接触することから保護する。コート樹脂４４は用途により形状や材質を変更する。
【００１７】
集光体５０は被照明体Ｐからの光をイメージセンサ６０の受光面に結像する（集光する）光学部材である。集光体５０は例えばロッドレンズアレイが適用できる。ロッドレンズアレイは、複数の正立等倍結像型の結像素子（ロッドレンズ）を有しており、これら複数の結像素子が主走査方向に直線状に並べて配置されている。なお、集光体５０はイメージセンサ６０の受光面に結像できればよく、各種マイクロレンズアレイなど、従来公知の各種集光機能を有する光学部材が適用できる。
【００１８】
基板５５は光源部４０Ａおよびイメージセンサ６０を実装面５６に実装する。基板５５は主走査方向に長い平板状であり、実装面５６が上下方向に対して直交する。また、基板５５には、光源部４０Ａを発光させたり、イメージセンサ６０を駆動させたりするための駆動回路などが実装される。
【００１９】
イメージセンサ６０は集光体５０により結像された光を電気信号に変換して出力する。イメージセンサ６０は、基板５５に実装され、集光体５０の下側に配置される。イメージセンサ６０はイメージセンサユニット１０Ａの読取りの解像度に応じた複数の光電変換素子から構成されるイメージセンサＩＣ６１の所定数を実装面５６上に主走査方向に直線状に配列して実装される。なお、イメージセンサ６０は光を電気信号に変換できるものであればよく、従来公知の各種イメージセンサＩＣが適用できる。
【００２０】
付勢部材７０Ａは、導光体３０Ａの曲部３２を、光源部４０Ａと導光体３０Ａの曲部３２とが当接する方向、すなわち下側に向かって付勢する。また、付勢部材７０Ａは後述するプラテンガラス１１２の下面を摺動する摺動部材として機能する。付勢部材７０Ａはフレーム１１Ａの側壁１２ａに取り付けられる。したがって、フレーム１１Ａは付勢部材７０Ａを有している。付勢部材７０Ａは、本体部７１、付勢部７５を有する。本体部７１は例えば樹脂材料が適用できる。本体部７１は基板５５と平行な平板状であって、上面に凸状の摺動部７２を有する。摺動部７２はプラテンガラス１１２の下面を摺動する。また、本体部７１は下面から延出する円柱状の２つの突起７３を有する。突起７３をフレーム１１Ａの側壁１２ａの孔１３に挿入することでフレーム１１Ａに対する本体部７１を位置決めする。また、本体部７１は副走査方向に離れた端部から下側に向かって延出する２つの係止部７４を有する。２つの係止部７４は、互いに向かい合う方向に突出する爪がそれぞれ側壁１２ｃおよび側壁１２ｄの下端に係止することで、付勢部材７０Ａをフレーム１１Ａに取り付けることができる。
付勢部７５は本体部７１の下面に接着剤によって固定される。付勢部７５は例えばポリウレタンなどの圧縮可能な樹脂材料が適用できる。図４に示すように、付勢部７５はブロック状であって、下面が傾斜している。具体的には、付勢部７５の下面は導光体３０Ａの曲部３２の外周面のうち上側の曲面に沿った曲面状である。なお、曲部３２の上側とは、例えば、曲部３２の幅（副走査方向寸法）が最大の箇所よりも半径方向外側をいうものとする。
【００２１】
摺動部材８０はプラテンガラス１１２の下面を摺動する。摺動部材８０は付勢部材７０Ａのうち付勢部７５を省略した構成である。すなわち、摺動部材８０は本体部７１を有し、本体部７１は摺動部７２、突起７３、係止部７４を有する。摺動部材８０はフレーム１１Ａの側壁１２ｂに取り付けられる。
【００２２】
次に、イメージセンサユニット１０Ａの組み立て方法について説明する。
まず基板５５の実装面５６に予め光源部４０Ａおよびイメージセンサ６０を実装する。次に、導光体３０Ａをフレーム１１Ａの導光体収容室１４に収容する。導光体収容室１４に収容された導光体３０Ａは導光体保持部１９によって位置決めされた状態で保持される。次に、集光体５０をフレーム１１Ａの集光体収容室１５に収容し、基板５５をフレーム１１Ａの基板収容室１６に収容する。
その後、付勢部材７０Ａをフレーム１１Ａに取り付ける。具体的には、付勢部材７０Ａの２つの突起７３を側壁１２ａの２つの孔１３に挿入すると共に、２つの係止部７４をフレーム１１Ａの側壁１２ｃおよび側壁１２ｄの下端に係止する。したがって、付勢部材７０Ａがフレーム１１Ａの側壁１２ａ側に位置決めした状態で取り付けられる。
同様に、摺動部材８０をフレーム１１Ａに取り付ける。具体的には、摺動部材８０の２つの突起７３を側壁１２ｂの２つの孔１３に挿入すると共に、２つの係止部７４をフレーム１１Ａの側壁１２ｃおよび側壁１２ｄの下端に係止する。したがって、摺動部材８０がフレーム１１Ａの側壁１２ｂ側に位置決めした状態で取り付けられる。
【００２３】
次に、組み立てられたイメージセンサユニット１０Ａにおいて、光源部４０Ａの光を効率よく導光体３０Ａから出射させる構成について説明する。
図３および図４に示すように、本実施形態のイメージセンサユニット１０Ａは、光源部４０Ａと導光体３０Ａの入射面３５とが当接する。具体的には光源部４０Ａのケース４２の上面と曲部３２の入射面３５とが当接する。このようにケース４２と入射面３５とを当接されることで、光源部４０Ａの光が入射面３５に入射されることなく外部に漏れてしまう光を抑制させることができる。すなわち、光源部４０Ａからの光が入射面３５を通って効率よく曲部３２に入射される。
なお、本実施形態では、ケース４２の上面と曲部３２の入射面３５とが面同士で当接しているので、より外部に漏れてしまう光を抑制することができる。ただし、ケース４２の上面と曲部３２の入射面３５とが面同士で当接する場合に限られず、光源部４０Ａの一部と入射面３５とを当接させたり、光源部４０Ａと入射面３５の一部とを当接させたりしてもよい。ここで、入射面３５の一部には、入射面３５の外縁の一部が含まれる。本実施形態の導光体３０Ａは、入射面３５が、上下方向に対して直交する平面に対して平行であるが、上下方向に対して直交する平面に対して傾斜していてもよい。入射面３５が傾斜している場合には、ケース４２の一部と入射面３５の一部とが当接する。
【００２４】
また、図４に示すように、付勢部材７０Ａがフレーム１１Ａに取り付けられた状態では、付勢部７５は本体部７１と曲部３２との間に位置し、本体部７１と曲部３２とによって挟まれることで圧縮されている。したがって、付勢部７５は元に戻ろうとする力によって曲部３２の上側を光源部４０Ａ側に付勢する。このように付勢部材７０Ａが曲部３２を光源部４０Ａ側に付勢することにより曲部３２と光源部４０Ａとの当接が常に維持される。
また、図４に示すように、付勢部７５は入射面３５の上側に位置している（図３では付勢部７５を二点鎖線で示している）。すなわち、上側から上下方向に沿って見た場合（図３および図４に示す矢印Ａ方向を参照）を仮定すると、付勢部７５が曲部３２と接する領域は入射面３５と重なり合う。したがって、付勢部７５は、曲部３２を光源部４０Ａ側に向かって効率よく付勢することができる。
【００２５】
また、本実施形態の導光体３０Ａは、曲部３２の下端が棒部３１の下端より下側に長さＬ分、低く位置しているために、曲部３２は棒部３１に対して上下方向に撓み易い形状である。したがって、光源部４０Ａと入射面３５との間に隙間が生じていても、曲部３２は付勢部材７０Ａによる付勢によって棒部３１に対して下側に撓むことができるので、曲部３２と光源部４０Ａとを容易に当接させることができる。
【００２６】
次に、イメージセンサユニット１０Ａの読取動作について説明する。
まず、光源部４０Ａが光を発する。光源部４０Ａが発する光は、導光体３０Ａの入射面３５から曲部３２の内部に入射される。このとき、光源部４０Ａと導光体３０Ａの入射面３５とが当接していることから、光源部４０Ａからの光は入射面３５を通って効率よく曲部３２に入射される。曲部３２に入射された光は曲部３２の内部を進行して棒部３１に到達する。このとき、曲部３２から外部に漏れる光は付勢部７５によって吸収されることから曲部３２から外部に漏れる光を抑制することができる。棒部３１に到達した光は、主走査方向の先端側に向かって進行する。棒部３１を進行する光は、拡散面３４より拡散されて、導光体３０Ａの出射面３３から被照明体Ｐの読取ラインＯに向けて出射される。出射面３３は主走査方向に長い形状であるため、出射面３３から出射される光は主走査方向に長い線状光となる。被照明体Ｐからの光は、集光体５０により集光されイメージセンサ６０に結像される。イメージセンサ６０は、集光体５０によって結像された光を検出して電気信号に変換する。
イメージセンサユニット１０Ａは、被照明体Ｐに光を出射して反射される光を検出する動作を、被照明体Ｐに副走査方向に相対的に移動しながら、短時間で周期的に繰り返す。このような動作によって、イメージセンサユニット１０Ａは被照明体Ｐの画像を読取る。
【００２７】
このように、本実施形態のイメージセンサユニット１０Ａは、曲部３２の端の入射面３５が光源部４０Ａに当接していることから、光源部４０Ａの光が入射面３５に入射されることなく外部に漏れる光を抑制することができる。すなわち、光源部４０Ａからの光が入射面３５を通って効率よく曲部３２に入射される。したがって、曲部３２を有する導光体３０Ａであっても、光源部４０Ａの光を効率よく導光体３０Ａから出射させることができる。
なお、本実施形態のイメージセンサユニット１０Ａは、付勢部材７０Ａを有する場合について説明したが、この場合に限られず、付勢部材７０Ａを省略してもよい。すなわち、イメージセンサユニット１０Ａを組み立てた状態で、曲部３２の入射面３５と光源部４０Ａとが当接していれば、付勢部材７０Ａにより入射面３５と光源部４０Ａとが当接するように付勢していなくともよい。
また、本実施形態では、付勢部材７０Ａの付勢部７５として圧縮可能な樹脂材料を適用する場合について説明したが、この場合に限られず、付勢部７５が板バネやコイルスプリングなどの弾性体であってもよい。また、付勢部７５は本体部７１と一体に構成してもよく、この場合には付勢部７５のうち曲部３２と押圧する面のみに圧縮可能な樹脂材料を設けることができる。
また、本実施形態では、付勢部材７０Ａはフレーム１１Ａと係止することで取り付ける場合について説明したが、この場合に限られず、フレーム１１Ａに接着剤を介して設けられていてもよい。また、付勢部材７０Ａはフレーム１１Ａと一体に構成してもよい。
【００２８】
（第２の実施形態）
次に、本実施形態に係るイメージセンサユニット１０Ｂについて説明する。第１の実施形態のイメージセンサユニット１０Ａはフレーム１１Ａ、付勢部材７０Ａを有していたのに対し、本実施形態のイメージセンサユニット１０Ｂは、フレーム１１Ｂ、付勢部材７０Ｂを有すると共に、摺動部材８０を有していないものである。ここでは、第１の実施形態のイメージセンサユニット１０Ａと異なる構成を中心に説明し、第１の実施形態のイメージセンサユニット１０Ａと同様の構成は同一符号を付して適宜、説明を省略する。
【００２９】
図５はイメージセンサユニット１０Ｂの構成例を示す分解斜視図である。
フレーム１１Ｂは付勢部材７０Ｂを係止するための被係止部２０を有する。被係止部２０は、側壁１２ｄの内側に形成した凹状の嵌め込み部２１の下側で段状に形成される。
付勢部材７０Ｂは、導光体３０Ａの曲部３２を、光源部４０Ａと導光体３０Ａの曲部３２とが当接する方向、すなわち下側に向かって付勢する。付勢部材７０Ｂは例えば樹脂材料が適用できる。付勢部材７０Ｂは、本体部７６、付勢部７８を有する。本体部７６は側壁１２ｄと平行な平板状であって、下端から下側に向かって延出する係止部７７を有する。係止部７７は下端の爪が主走査方向に変形可能であって、フレーム１１Ｂの被係止部２０に係止することで、付勢部材７０Ｂをフレーム１１Ｂに取り付けることができる。付勢部７８は、主走査方向から見て平板が屈曲した略Ｌ字状に形成される。具体的には、付勢部７８は本体部７６の上端から副走査方向に延出した後に下側に屈曲し、上下に撓み易い形状である。また、付勢部７８の下端には、押圧部７９が一体で形成される。押圧部７９は略平板状であって、下面が傾斜している。具体的には、押圧部７９の下面は導光体３０Ａの曲部３２の外周面のうち上側の曲面に沿った曲面状である。
【００３０】
付勢部材７０Ｂをフレーム１１Ｂに取り付ける場合には、付勢部材７０Ｂを側壁１２ｄの嵌め込み部２１に挿入する。このとき、付勢部材７０Ｂの係止部７７の爪が段状の被係止部２０を乗り越えるように変形する。付勢部材７０Ｂを更に嵌め込み部２１に挿入することで、変形した係止部７７の爪が元に戻ることにより被係止部２０と係止する。したがって、付勢部材７０Ｂがフレーム１１Ｂの側壁１２ｄに位置決めした状態で取り付けられる。
【００３１】
図６はイメージセンサユニット１０Ｂの構成例を示す副走査方向から見た図であり、副走査方向に直交する面で切断した断面図である。なお、図６は導光体３０Ａの断面を示すハッチングを省略している。
図６に示すように、付勢部材７０Ｂがフレーム１１Ｂに取り付けられた状態では、付勢部７８の下端の押圧部７９が曲部３２を上側から光源部４０Ａ側に付勢する。ここで、付勢部７８は上下に撓み易い形状であり、押圧部７９が曲部３２と接している状態では付勢部７８は上側に撓んでいる。したがって、押圧部７９は付勢部７８が元に戻ろうとする力によって上側から曲部３２を光源部４０Ａ側に付勢する。このように付勢部材７０Ｂが曲部３２を光源部４０Ａ側に付勢することにより曲部３２と光源部４０Ａとの当接が常に維持される。
【００３２】
このように、本実施形態のイメージセンサユニット１０Ｂは、曲部３２の端の入射面３５が光源部４０Ａに当接していることから、光源部４０Ａからの光が入射面３５を通って効率よく曲部３２に入射される。したがって、曲部３２を有する導光体３０Ａであっても、光源部４０Ａの光を効率よく導光体３０Ａから出射させることができる。
なお、本実施形態では、付勢部７８として樹脂材料を適用する場合について説明したが、この場合に限られず、撓み可能であれば薄板状の金属板などであってもよい。
【００３３】
（第３の実施形態）
次に、本実施形態に係るイメージセンサユニット１０Ｃについて説明する。第１の実施形態のイメージセンサユニット１０Ａはフレーム１１Ａ、付勢部材７０Ａを有していたのに対して、本実施形態のイメージセンサユニット１０Ｃは、フレーム１１Ｃ、付勢部材７０Ｃを有すると共に、摺動部材８０を有していないものである。ここでは、第１の実施形態のイメージセンサユニット１０Ａと異なる構成を中心に説明し、第１の実施形態のイメージセンサユニット１０Ａと同様の構成は同一符号を付して適宜、説明を省略する。
【００３４】
図７はイメージセンサユニット１０Ｃの構成例を示す分解斜視図である。
フレーム１１Ｃは第１フレーム体２２および第２フレーム体２３を有する。第１フレーム体２２は、第１の実施形態のフレーム１１Ａのうち側壁１２ａ、１２ｂの孔１３を摺動部７２に変更している。摺動部７２はプラテンガラス１１２の下面を摺動する。フレーム１１Ｃは基板収容室１６内において基板５５を上下に移動可能に収容している。また、第２フレーム体２３は、第１フレーム体２２の下側の開口を閉塞するように第１フレーム体２２に結合される。第２フレーム体２３は第１フレーム体２２を保持するための後述する保持部材（キャリッジ）１１５として機能する。第２フレーム体２３は、略平板状の本体部２４を有し、上面のうち主走査方向の両側の端部に付勢部材７０Ｃを位置決めするための円柱状の支持部２５を有する。また、本体部２４は一部が下側に突出するガイド部２６を有する。ガイド部２６は後述するガイドシャフト１１６が副走査方向に挿通されるガイド孔２７を有する。なお、第２フレーム体２３は第１フレーム体２２を第２フレーム体２３に対して上下方向に移動できるように保持しているが、移動できないように保持してもよい。
【００３５】
付勢部材７０Ｃは、光源部４０Ａを光源部４０Ａと導光体３０Ａの曲部３２とが当接する方向、すなわち上側に向かって付勢する。ここでは、付勢部材７０Ｃは光源部４０Ａを基板５５を介して間接的に上側に向かって付勢する。付勢部材７０Ｃは例えばコイルスプリングが適用できる。付勢部材７０Ｃは第１フレーム体２２と第２フレーム体２３との間に配置され、第２フレーム体２３の支持部２５によって支持される。
【００３６】
図８はイメージセンサユニット１０Ｃの構成例を示す副走査方向から見た図であり、副走査方向に直交する面で切断した断面図である。なお、図８は導光体３０Ａの断面を示すハッチングを省略している。
図８に示すように、付勢部材７０Ｃがフレーム１１Ｃに取り付けられた状態では、付勢部材７０Ｃの上端が基板５５の下面に接することから基板５５を介して光源部４０Ａを導光体３０Ａの曲部３２に向かって付勢する。したがって、曲部３２と光源部４０Ａとの当接が常に維持される。
また、図８に示すように、付勢部材７０Ｃは入射面３５の下側に位置している。ここで、上下方向から見た場合を仮定すると、付勢部材７０Ｃが基板５５と接する位置は入射面３５と重なり合う。したがって、付勢部材７０Ｃは光源部４０Ａを曲部３２側に向かって効率よく付勢することができる。
【００３７】
このように、本実施形態のイメージセンサユニット１０Ｃは、光源部４０Ａが曲部３２の端の入射面３５に当接していることから、光源部４０Ａからの光が入射面３５を通って効率よく曲部３２に入射される。したがって、曲部３２を有する導光体３０Ａであっても、光源部４０Ａの光を効率よく導光体３０Ａから出射させることができる。
なお、第２フレーム体２３が第１フレーム体２２を上下方向に移動できるように保持する場合には、付勢部材７０Ｃはイメージセンサユニット１０Ｃ（第１フレーム体２２）をプラテンガラス１１２に付勢するための付勢部材と兼ねることができる。また、本実施形態では、付勢部材７０Ｃとしてコイルスプリングを適用する場合について説明したが、この場合に限られず、板バネなどの弾性体であってもよい。
【００３８】
（第４の実施形態）
次に、本実施形態に係るイメージセンサユニット１０Ｄについて説明する。第１の実施形態のイメージセンサユニット１０Ａはフレーム１１Ａ、付勢部材７０Ａを有していたのに対して、本実施形態のイメージセンサユニット１０Ｄは、フレーム１１Ｄ、付勢部材７０Ｄを有すると共に、摺動部材８０を有していないものである。ここでは、第１の実施形態のイメージセンサユニット１０Ａと異なる構成を中心に説明し、第１の実施形態のイメージセンサユニット１０Ａと同様の構成は同一符号を付して適宜、説明を省略する。
【００３９】
図９はイメージセンサユニット１０Ｄの構成例を示す分解斜視図である。
フレーム１１Ｄは付勢部材７０Ｄを係止するための被係止部２８を有する。被係止部２８は、側壁１２ｃおよび側壁１２ｄの外側にそれぞれ形成した凹状の嵌め込み部２９の側面から突出して形成される。なお、側壁１２ｄ側の被係止部２８および嵌め込み部２９は、側壁１２ｃと同様であるために図示を省略する。また、フレーム１１Ｄは基板収容室１６内において基板５５を上下に移動可能に収容している。
【００４０】
付勢部材７０Ｄは、光源部４０Ａを光源部４０Ａと導光体３０Ａの曲部３２とが当接する方向、すなわち上側に向かって付勢する。ここでは、付勢部材７０Ｄは光源部４０Ａを基板５５を介して間接的に上側に向かって付勢する。付勢部材７０Ｄは例えば樹脂材料が適用できる。付勢部材７０Ｄは、本体部８１と、一対の挟持部８４ａ、８４ｂと、係止孔８５とを有する。本体部８１の略中央には、斜め上側に向かって突出する付勢部８２が一体で形成される。付勢部８２は本体部８１に対して上下方向に変形可能である。また、付勢部８２の先端には上側に凸状の押圧部８３が形成される。一対の挟持部８４ａ、８４ｂは、本体部７１の両端からそれぞれ上側に向かって突出する。一対の挟持部８４ａ、８４ｂにはそれぞれ係止孔８５が形成される。
【００４１】
付勢部材７０Ｄをフレーム１１Ｄに取り付ける場合には、付勢部材７０Ｄの一対の挟持部８４ａ、８４ｂをそれぞれ側壁１２ｃ、１２ｄの嵌め込み部２９に下側から挿入する。このとき、付勢部材７０Ｄの一対の挟持部８４ａ、８４ｂが被係止部２８を乗り越えるように変形する。付勢部材７０Ｄを更に嵌め込み部２９に挿入することで、変形した一対の挟持部８４ａ、８４ｂが元に戻ることにより係止孔８５が被係止部２８と係止する。したがって、付勢部材７０Ｄがフレーム１１Ｄの側壁１２ｃ、１２ｄに位置決めした状態で取り付けられる。
【００４２】
図１０はイメージセンサユニット１０Ｄの構成例を示す副走査方向から見た図であり、副走査方向に直交する面で切断した断面図である。なお、図１０は導光体３０Ａの断面を示すハッチングを省略している。
図１０に示すように、付勢部材７０Ｄがフレーム１１Ｄに取り付けられた状態では、付勢部８２の押圧部８３が基板５５の下面に接することから基板５５を介して光源部４０Ａを導光体３０Ａの曲部３２に向かって付勢する。ここで、付勢部８２は上下に撓み易い形状であり、押圧部８３が基板５５の下面に接している状態では付勢部８２は下側に撓んでいる。したがって、押圧部８３は付勢部８２が元に戻ろうとする力によって下側から光源部４０Ａが実装された基板５５を光源部４０Ａ側に付勢する。したがって、曲部３２と光源部４０Ａとの当接が常に維持される。
【００４３】
このように、本実施形態のイメージセンサユニット１０Ｄは、光源部４０Ａが曲部３２の端の入射面３５に当接していることから、光源部４０Ａからの光が入射面３５を通って効率よく曲部３２に入射される。したがって、曲部３２を有する導光体３０Ａであっても、光源部４０Ａの光を効率よく導光体３０Ａから出射させることができる。
【００４４】
（第５の実施形態）
次に、本実施形態に係るイメージセンサユニット１０Ｅについて説明する。
本実施形態のイメージセンサユニット１０Ｅは、第１〜第４の実施形態の光源部４０Ａを光源部４０Ｅに変更したものである。ここでは、第１〜第４の実施形態と異なる構成を中心に説明し、同様の構成は同一符号を付して適宜、説明を省略する。
【００４５】
図１１はイメージセンサユニット１０Ｅのうち一部の構成例を副走査方向から見た図であり、光源部４０Ｅのみを断面図で示している。
本実施形態の光源部４０Ｅは、第１の実施形態の光源部４０Ａと同様の構成であるが、凹部４３内に充填されているコート樹脂４４がケース４２の上面よりも膨出している。換言すると、コート樹脂４４の上面がケース４２の上面よりも高く位置している。本実施形態において、光源部４０Ｅと導光体３０Ａの曲部３２とが当接するとは、光源部４０Ｅのコート樹脂４４の上面と曲部３２の入射面３５とが当接することをいう。なお、コート樹脂４４の上面がケース４２の上面よりも高く位置する場合に限られず、コート樹脂４４の上面とケース４２の上面とは同じ高さであってもよい。
このように、コート樹脂４４と入射面３５とが当接する場合でも、光源部４０Ｅの光が入射面３５に入射されることなく外部に漏れてしまう光を抑制させることができる。
【００４６】
（第６の実施形態）
次に、本実施形態に係るイメージセンサユニット１０Ｆについて説明する。
本実施形態のイメージセンサユニット１０Ｆは、第１〜第４の実施形態の導光体３０Ａ、光源部４０Ａをそれぞれ導光体３０Ｆ、光源部４０Ｆに変更したものである。ここでは、第１〜第４の実施形態と異なる構成を中心に説明し、同様の構成は同一符号を付して適宜、説明を省略する。
【００４７】
図１２はイメージセンサユニット１０Ｆのうち一部の構成例を副走査方向から見た図であり、光源部４０Ｆのみを断面図で示している。
本実施形態の導光体３０Ｆの曲部３２は入射面３６が下側に凸の球状である。入射面３６を球状にすることにより光源部４０Ｆからの光が矢印Ｅに示すように上側に指向するように入射させることができ、曲部３２の外周面で反射され易くすることができる。
本実施形態の光源部４０Ｆは、ＬＥＤチップが基板５５に実装された、いわゆるチップオンボード型のＬＥＤである。光源部４０Ｆは、ＬＥＤチップ４１、コート樹脂４４、バンク部４５、電極、ワイヤなどを有し、ケースが省略して構成される。バンク部４５はＬＥＤチップ４１の周囲を取り囲むように基板５５の実装面５６上に形成され、コート樹脂４４はバンク部４５内に充填される。なお、バンク部４５の上面は、コート樹脂４４の上面よりも高くても低くてもよく、同じ高さであってもよい。
【００４８】
本実施形態において、光源部４０Ｆと導光体３０Ｆの曲部３２とが当接するとは、光源部４０Ｆのコート樹脂４４の上面と曲部３２の球状の入射面３６とが当接することをいう。
このように、コート樹脂４４と球状の入射面３６とが当接する場合でも、光源部４０Ｆの光が入射面３５に入射されることなく外部に漏れてしまう光を抑制させることができる。なお、コート樹脂４４と球状の入射面３６とが当接する場合に限られず、バンク部４５と入射面３６を当接してもよい。
【００４９】
（第７の実施形態）
次に、本実施形態に係るイメージセンサユニット１０Ｇについて説明する。
本実施形態のイメージセンサユニット１０Ｇは、第１〜第４の実施形態の導光体３０Ａ、光源部４０Ａをそれぞれ導光体３０Ｇ、光源部４０Ｇに変更したものである。ここでは、第１〜第４の実施形態と異なる構成を中心に説明し、同様の構成は同一符号を付して適宜、説明を省略する。
【００５０】
図１３はイメージセンサユニット１０Ｇのうち一部の構成例を副走査方向から見た図であり、光源部４０Ｇのみを断面図で示している。
本実施形態の導光体３０Ｇは、曲部３２の外周面に反射材３７が密着されている。具体的には、導光体３０Ｇは曲部３２の上側に反射材３７が設けられる（図１３に示す網掛けの範囲）。反射材３７が設けられる範囲は、付勢部材７０Ａの付勢部７５または付勢部材７０Ｂの押圧部７９が曲部３２を付勢するときに接する範囲と少なくとも一部が重なり合っている。反射材３７を設けることで、光源部４０Ｇからの光が曲部３２から外部に漏れることを抑制することができ、光源部４０Ｇの光を効率よく導光体３０Ｇから出射させることができる。
なお、反射材３７を設ける範囲は、導光体３０Ｇの曲部３２の上側のうち棒部３１側に偏倚した範囲（グレーの着色部を参照）であってもよく、曲部３２の外周面の全面であってもよい。
【００５１】
また、反射材３７は、例えば、反射率が高い材料からなる堆積層や貼付膜が適用できる。堆積層としては、例えば、塗装や、めっきが施される構成が適用できる。貼付膜としては、例えば、反射率の高い材料からなるシートなどが密着するように貼り付けられる構成が適用できる。反射率が高い材料からなる塗料としては、各種の白色塗料や銀色塗料が適用できる。この場合、このような塗料を曲部３２の表面の所定の範囲に直接に印刷（塗布）することにより、曲部３２の表面に密着した反射材３７が形成される。反射材３７としてのめっき層の形成には、例えば無電解めっきが適用できる。この場合、導光体３０Ｇの曲部３２の表面に直接にめっき層を形成することにより、曲部３２の表面に密着した反射材３７が形成される。反射率の高い材料を含むシートとしては、反射層とこの反射層の表面に設けられた接着剤や粘着材の層とを有するシールが適用できる。
なお、反射材３７の構成は特に限定されるものではなく、光源部４０Ｇが発する波長域の光を反射する構成であればよい。
【００５２】
本実施形態の光源部４０Ｇは、上側への光の指向性を高めるＬＥＤである。光源部４０Ｇは、ＬＥＤチップ４１、ケース４２、レンズ４６、リード端子、ワイヤなどを有する。レンズ４６は上側に凸の球状であって、ＬＥＤチップ４１を覆うようにケース４２に固定される。本実施形態において、光源部４０Ｇと導光体３０Ｇの曲部３２とが当接するとは、光源部４０Ｇのレンズ４６の表面と曲部３２の入射面３５とが当接することをいう。なお、レンズ４６は少なくとも一部がＬＥＤチップ４１の上側、すなわち導光体３０Ｇの入射面３５側に位置している。
このように、レンズ４６と入射面３５とが当接する場合でも、光源部４０Ｇの光が入射面３５に入射されることなく外部に漏れてしまう光を抑制させることができる。
【００５３】
（第８の実施形態）
次に、本実施形態に係るイメージセンサユニット１０Ｈについて説明する。
本実施形態のイメージセンサユニット１０Ｈは、第１〜第７の実施形態の導光体３０Ａ、３０Ｆ、３０Ｇを、導光体３０Ｈに変更したものである。ここでは、第１〜第７の実施形態と異なる構成を中心に説明し、同様の構成は同一符号を付して適宜、説明を省略する。
【００５４】
図１４はイメージセンサユニット１０Ｈのうち導光体３０Ｈのみの構成例を示す図であり、図１４（ａ）が上側から見た図であり、図１４（ｂ）が副走査方向から見た図であり、図１４（ｃ）が主走査方向から見た図である。
導光体３０Ｈは、主走査方向に長い直線棒状の棒部３１と、棒部３１の主走査方向の基端側の端部から延出して下側に向かって曲がっている曲部３８とを有する。曲部３８は中心線Ｃ２が副走査方向から見て円弧状に湾曲している部分である。曲部３８は端部に光源部４０Ａから光を入射するための入射面３９が設けられる。
本実施形態の曲部３８は、入射面３９の形状、および、中心線Ｃ２と直角な面で切断したときの断面形状が楕円形である。また、図１４（ａ）に示すように、曲部３８は主走査方向に対して角度αで屈曲している。ここで、角度αは例えば５°〜３０°が適用できる。したがって、曲部３８は、上下方向から見たときに主走査方向に対して屈曲し、副走査方向から見たときに湾曲した、捩れ形状である。このように、曲部３８を捩れ形状にすることで、導光体３０Ｈを導光体収容室１４に収容したときに入射面３９の位置を副走査方向においてイメージセンサ６０側に近接させることができる。したがって、入射面３９に当接させる光源部４０Ａも、副走査方向においてイメージセンサ６０側に近接させて基板５５に実装することができることから、基板５５の副走査方向のサイズを小さくすることができる。
なお、曲部３８の入射面３９は凸の球状であってもよく、曲部３８の外周面の一部または全面に反射材３７が密着されていてもよい。
【００５５】
（第９の実施形態）
次に、本実施形態に係るイメージセンサユニット１０Ｉについて説明する。第１の実施形態のイメージセンサユニット１０Ａは付勢部材７０Ａを有していたのに対し、本実施形態のイメージセンサユニット１０Ｉはカバー部材９０、付勢部材７０Ｉを有すると共に、摺動部材８０を有していないものである。ここでは、第１の実施形態のイメージセンサユニット１０Ａと異なる構成を中心に説明し、第１の実施形態のイメージセンサユニット１０Ａと同様の構成は同一符号を付して適宜、説明を省略する。
【００５６】
図１５はイメージセンサユニット１０Ｉの構成例を示す分解斜視図である。
カバー部材９０はフレーム１１Ａ内に塵が侵入するのを防止する。カバー部材９０は略平板状であって、フレーム１１Ａの上側の開口を塞ぐように、例えば両面テープや接着剤などを用いてフレーム１１Ａに固定される。カバー部材９０は例えば、ガラスや透明な樹脂材料が適用できる。
付勢部材７０Ｉはカバー部材９０の下面に接着剤によって固定される。したがって、カバー部材９０は付勢部材７０Ｉを有している。付勢部材７０Ｉは付勢部７５を有する。付勢部７５は、第１の実施形態と同様の構成である。
【００５７】
図１６はイメージセンサユニット１０Ｉの構成例を示す副走査方向から見た図であり、副走査方向に直交する面で切断した断面図である。なお、図１６は導光体３０Ａの断面を示すハッチングを省略している。
図１６に示すように、付勢部材７０Ｉを有するカバー部材９０がフレーム１１Ａに固定された状態では、付勢部７５はカバー部材９０と曲部３２との間に位置し、カバー部材９０と曲部３２とによって挟まれることで圧縮されている。したがって、付勢部７５は元に戻ろうとする力によって曲部３２の上側を光源部４０Ａ側に付勢する。このように付勢部材７０Ｉが曲部３２を光源部４０Ａ側に付勢することにより曲部３２と光源部４０Ａとの当接が常に維持される。
【００５８】
このように、本実施形態のイメージセンサユニット１０Ｉは、曲部３２の端の入射面３５が光源部４０Ａに当接していることから、光源部４０Ａからの光が入射面３５を通って効率よく曲部３２に入射される。したがって、曲部３２を有する導光体３０Ａであっても、光源部４０Ａの光を効率よく導光体３０Ａから出射させることができる。
なお、本実施形態では、付勢部材７０Ｉの付勢部７５として圧縮可能な樹脂材料を適用する場合について説明したが、この場合に限られず、付勢部７５が板バネやコイルスプリングなどの弾性体であってもよい。また、付勢部７５はカバー部材９０と一体に構成してもよい。また、本実施形態のイメージセンサユニット１０Ｉは、第５〜第８の実施形態の何れかの導光体あるいは光源部を組み合せてもよい。
【００５９】
（第１０の実施形態）
次に、第１の実施形態のイメージセンサユニット１０Ａを画像読取装置としてのフラットベッド方式のスキャナに適用した構成について図１７を参照して説明する。
図１７はフラットベッド方式のスキャナの構成の一例を示す斜視図である。
スキャナ１１０は、筺体１１１と、被照明体載置部としてのプラテンガラス１１２と、イメージセンサユニット１０Ａと、イメージセンサユニット１０Ａを被照明体Ｐに対して相対的に移動させる移動手段としての駆動機構と、回路基板１１３と、プラテンカバー１１４とを有する。プラテンガラス１１２は、ガラスなどの透明板からなり、筺体１１１の上面に取り付けられる。プラテンカバー１１４は、プラテンガラス１１２に載置された被照明体Ｐを覆うように、筺体１１１に対してヒンジ機構などを介して開閉可能に取付けられる。イメージセンサユニット１０Ａと、イメージセンサユニット１０Ａを駆動するための駆動機構と、回路基板１１３とは、筺体１１１内に収容される。
【００６０】
駆動機構は、保持部材１１５と、ガイドシャフト１１６と、駆動モータ１１７と、ワイヤー１１８とを含む。保持部材１１５は、イメージセンサユニット１０Ａを囲むように保持する。ガイドシャフト１１６は、保持部材１１５をプラテンガラス１１２に沿って読取方向（副走査方向）に移動可能にガイドする。駆動モータ１１７と保持部材１１５とはワイヤー１１８を介して連結されており、駆動モータ１１７の駆動力によってイメージセンサユニット１０Ａを保持する保持部材１１５を副走査方向に移動させる。そして、イメージセンサユニット１０Ａは、駆動モータ１１７の駆動力によって副走査方向に移動し、フレーム１１Ａの摺動部７２がプラテンガラス１１２の下面を摺動しながら、プラテンガラス１１２に載置された被照明体Ｐである原稿などを読取る。このように、イメージセンサユニット１０Ａと被照明体Ｐとを相対的に移動させながら、被照明体Ｐを読取る。
【００６１】
回路基板１１３には、イメージセンサユニット１０Ａが読取った画像に所定の画像処理を施す画像処理回路や、イメージセンサユニット１０Ａを含むスキャナ１１０の各部を制御する制御回路や、スキャナ１１０の各部に電力を供給する電源回路などが構築される。
ここでは、第１の実施形態のイメージセンサユニット１０Ａをフラットベッド方式のスキャナに適用する場合について説明したが、他のイメージセンサユニット１０Ｂ〜１０Ｈについても同様にフラットベッド方式のスキャナに適用することができる。
【００６２】
（第１１の実施形態）
次に、第１の実施形態のイメージセンサユニット１０Ａを画像読取装置としてのシートフィード方式のスキャナに適用した構成について図１８を参照して説明する。
図１８はシートフィールド方式のスキャナの構成の一例を示す断面図である。
スキャナ１２０は、筺体１２１と、イメージセンサユニット１０Ａと、搬送ローラ１２２と、回路基板１２３とを有する。搬送ローラ１２２は、図示を省略した駆動機構によって回転し、被照明体Ｐを挟んで搬送する。回路基板１２３には、イメージセンサユニット１０Ａを含むスキャナ１２０の各部を制御する制御回路や、スキャナ１２０の各部に電力を供給する電源回路などが構築される。
【００６３】
そして、スキャナ１２０は、搬送ローラ１２２によって被照明体Ｐを読取り方向（副走査方向）に搬送しつつ、イメージセンサユニット１０Ａにより被照明体Ｐを読取る。すなわち、イメージセンサユニット１０Ａと被照明体Ｐとを相対的に移動させながら、被照明体Ｐを読取る。
ここでは、第１の実施形態のイメージセンサユニット１０Ａをシートフィールド方式のスキャナに適用する場合について説明したが、他のイメージセンサユニット１０Ｂ〜１０Ｈについても同様にシートフィールド方式のスキャナに適用することができる。
【００６４】
（第１２の実施形態）
次に、第１の実施形態のイメージセンサユニット１０Ａを画像形成装置に適用した構成について図１９および図２０を参照して説明する。
図１９は画像形成装置の外観を示す斜視図である。図２０は画像形成装置の筺体の内部に設けられる画像形成部を抜き出して示した斜視図である。
画像形成装置１３０は、フラットベッド方式のスキャナとインクジェット方式のプリンタとの複合機（ＭＦＰ；Ｍｕｌｔｉｆｕｎｃｔｉｏｎ  Ｐｒｉｎｔｅｒ）である。画像形成装置１３０は、画像を読取る画像読取手段としての画像読取部１３１と、画像を形成する画像形成手段としての画像形成部１３２とを有する。画像形成装置１３０の画像読取部１３１には、イメージセンサユニット１０Ａが組み込まれる。なお、画像形成装置１３０の画像読取部１３１は、上述したスキャナ１１０、１２０と共通の構成が適用できる。したがって、スキャナ１１０、１２０と共通の構成については説明を省略する。
【００６５】
図１９に示すように、画像形成装置１３０には、操作部１３３が設けられる。操作部１３３には、操作メニューや各種メッセージなどを表示する表示部１３４と、画像形成装置１３０を操作するための各種操作ボタン１３５が設けられる。また、図２０に示すように、画像形成装置１３０の筺体１３６の内部には、画像形成部１３２が設けられる。画像形成部１３２は、搬送ローラ１３７と、ガイドシャフト１３８と、インクジェットカートリッジ１３９と、モータ１４０と、一対のタイミングプーリ１４１とを有する。搬送ローラ１３７は、駆動源の駆動力によって回転し、記録媒体としての印刷用紙Ｒを副走査方向に搬送する。ガイドシャフト１３８は棒状の部材であり、その軸線が印刷用紙Ｒの主走査方向に平行となるように画像形成装置１３０の筺体１３６に固定される。
【００６６】
インクジェットカートリッジ１３９は、ガイドシャフト１３８上をスライドすることによって、印刷用紙Ｒの主走査方向に往復動できる。インクジェットカートリッジ１３９は、例えば、シアンＣ、マゼンタＭ、イエローＹ、黒Ｋのインクを備えたインクタンク１４２（１４２Ｃ，１４２Ｍ，１４２Ｙ，１４２Ｋ）と、インクタンク１４２にそれぞれ設けられた吐出ヘッド１４３（１４３Ｃ，１４３Ｍ，１４３Ｙ，１４３Ｋ）から構成される。一対のタイミングプーリ１４１の一方は、モータ１４０の回転軸に取り付けられる。そして、一対のタイミングプーリ１４１は、印刷用紙Ｒの主走査方向に互いに離れた位置に設けられる。タイミングベルト１４４は、一対のタイミングプーリ１４１に平行掛けに巻き掛けられ、所定の箇所がインクジェットカートリッジ１３９に連結される。
【００６７】
画像形成装置１３０の画像読取部１３１は、イメージセンサユニット１０Ａが読取った画像を、印刷に適した形式の電気信号に変換する。画像形成装置１３０の画像形成部１３２は、画像読取部１３１のイメージセンサユニット１０Ａが変換した電気信号に基づいて、搬送ローラ１３７、モータ１４０、インクジェットカートリッジ１３９を駆動し、印刷用紙Ｒに画像を形成する。また、画像形成装置１３０の画像形成部１３２は、外部から入力された電気信号に基づいて画像を形成することができる。なお、画像形成装置１３０のうち、画像形成部１３２の構成および動作は、従来公知の各種プリンタと同じ構成が適用できる。したがって、詳細な説明は省略する。なお、画像形成部１３２としてインクジェット方式による画像形成装置を説明したが、電子写真方式、熱転写方式、ドットインパクト方式などどのような方式であっても構わない。
また、ここでは、第１の実施形態のイメージセンサユニット１０Ａを画像読取部１３１に適用する場合について説明したが、他のイメージセンサユニット１０Ｂ〜１０Ｉについても同様に画像読取部１３１に適用することができる。
【００６８】
以上、本発明の好ましい実施形態について説明したが、本発明はこれらの実施形態に限定されず、その要旨の範囲内で種々の変形および変更が可能であり、各実施形態を組み合せることが可能である。
各実施形態の組み合せとして、例えば、上述した導光体３０Ａ、導光体３０Ｆ、導光体３０Ｇ（反射材３７の範囲が異なる変形例を含む）および導光体３０Ｈの何れか一つと、光源部４０Ａ、光源部４０Ｅ、光源部４０Ｆおよび光源部４０Ｇの何れか一つとを組み合せて、照明装置およびイメージセンサユニットを構成することができる。
【００６９】
また、第１０の実施形態のスキャナ１１０または第１１の実施形態に係るスキャナ１２０を、紙幣、有価証券などの紙葉類の真贋判定を行う紙葉類識別装置（紙葉類読取装置）として機能させてもよい。この場合、スキャナ１１０、１２０は、予め記憶されている真正な紙幣の画像と読取った紙幣の画像とを比較して、紙幣の真贋を識別する比較部を有する。
また、上述した第１〜第４、第９の実施形態の付勢部材７０Ａ、７０Ｂ、７０Ｃ、７０Ｄ、７０Ｉを適宜、組み合わせることで、導光体３０Ａの曲部３２および光源部４０Ａの両方を入射面３５と光源部４０Ａとが当接される方向に付勢してもよい。
【符号の説明】
【００７０】
１０Ａ〜１０Ｉ：イメージセンサユニット  １１Ａ，１１Ｂ，１１Ｃ，１１Ｄ：フレーム  ３０Ａ，３０Ｆ，３０Ｇ，３０Ｈ：導光体  ３１：棒部  ３２，３８：曲部  ３５，３６，３９：入射面  ４０Ａ，４０Ｅ，４０Ｆ，４０Ｇ：光源部  ５０：集光体  ５５：基板  ６０：イメージセンサ  ７０Ａ、７０Ｂ、７０Ｃ、７０Ｄ、７０Ｉ：付勢部材  １１０：スキャナ（画像読取装置）  １２０：スキャナ（画像読取装置）  １３０：画像形成装置
【図１】
2018117213.tif 000003
【図２】
2018117213.tif 000004
【図３】
2018117213.tif 000005
【図４】
2018117213.tif 000006
【図５】
2018117213.tif 000007
【図６】
2018117213.tif 000008
【図７】
2018117213.tif 000009
【図８】
2018117213.tif 000010
【図９】
2018117213.tif 000011
【図１０】
2018117213.tif 000012
【図１１】
2018117213.tif 000013
【図１２】
2018117213.tif 000014
【図１３】
2018117213.tif 000015
【図１４】
2018117213.tif 000016
【図１５】
2018117213.tif 000017
【図１６】
2018117213.tif 000018
【図１７】
2018117213.tif 000019
【図１８】
2018117213.tif 000020
【図１９】
2018117213.tif 000021
【図２０】
2018117213.tif 000022